(57)【要約】【課題】  脚カバーが支基から脱落し難く、構造が簡単で、加工が容易であり、しかも体裁のよい椅子における脚カバーの取付構造を提供する。【解決手段】  支基６の下面板６ａに、脚カバー１１の上端の内径とほぼ同径をなし、かつ支筒４が挿通しうるようにした挿通孔９を設けるとともに、挿通孔９の周縁に、外周縁が脚カバー１１の上端の外径とほぼ同径をなす複数の係合溝１０を円周方向に間隔をおいて形成し、脚カバー１１の少なくとも上部を内方に弾性変形可能な材料により形成するとともに、脚カバー１１の上端に、脚カバー１１の上端が下面板６ａの下面に当接した状態で各係合溝１０に係合し、かつ上端に下面板６ａにおける係合溝１０の外側上面に係合する爪部１３を有する複数の係合片１２を、係合溝１０の間隔と等間隔をもって突設する。【選択図】          図１
2005137796.tif 000002
【特許請求の範囲】
【請求項１】
台脚に立設した支筒内に、垂直支持軸をその軸線回りに回動自在に支持し、垂直支持軸の上部に座部を支持する支基を設け、前記垂直支持軸および支筒の上部を覆う筒状の脚カバーを前記支基の下面板に取り付けた椅子における脚カバーの取付構造において、
前記下面板に、脚カバーの上端の内径とほぼ同径をなし、かつ前記支筒が挿通しうるようにした挿通孔を設けるとともに、該挿通孔の周縁に、外周縁が前記脚カバーの上端の外径とほぼ同径をなす複数の係合溝を円周方向に間隔をおいて形成し、前記脚カバーの少なくとも上部を内方に弾性変形可能な材料により形成するとともに、前記脚カバーの上端に、該脚カバーの上端が前記下面板の下面に当接した状態で前記各係合溝に係合し、かつ上端に前記下面板における係合溝の外側上面に係合する爪部を有する複数の係合片を、前記係合溝の間隔と等間隔をもって突設したことを特徴とする椅子における脚カバーの取付構造。
【請求項２】
脚カバーの上部の内径を支筒の外径に近い寸法とし、係合片の内方への弾性撓曲が支筒の外周面により阻止されるようにすることにより、係合片を下面板の係合溝から外れ止めしたことを特徴とする請求項１記載の椅子における脚カバーの取付構造。
【請求項３】
垂直支持軸を、支筒内に固定部が支持されたガススプリングの可動部により形成し、このガススプリングの最大伸長時において、脚カバーの上部が支筒の上端より上方に位置し、この状態で、係合片が下面板の係合溝から外れるまで、脚カバーの上部および係合片が内向きに弾性撓曲しうるようにしたことを特徴とする請求項１または２記載の椅子における脚カバーの取付構造。
【請求項４】
係合溝および係合片の円周方向の幅をほぼ同一としたことを特徴とする請求項１〜３のいずれかに記載の椅子における脚カバーの取付構造。
【請求項５】
爪部の先端部下面に、外上方を向く傾斜面を設けたことを特徴とする請求項１〜４のいずれかに記載の椅子における脚カバーの取付構造。
【発明の詳細な説明】
【技術分野】
【０００１】
本発明は、椅子における垂直脚部の上部を覆う脚カバーを、座を支持する支基の下面に取り付ける取付構造に関する。
【背景技術】
【０００２】
この種の従来のものとしては、例えば、支基(取付体)の下端部に環状部を設け、この環状部に筒状の脚カバーを嵌合し、それらの重合部分の対向面に、互いに係合する係合孔と係合突起とを設けたものや（特許文献１参照）、脚カバーの上端に突設した複数の係合爪を、支基(取付体)の下面板に設けた複数の段付き係合孔の広幅部より挿入した後、脚カバー全体をその中心軸回りにわずかに回転させて、各係合爪を段付き係合孔の狭幅部に係合させるようにしたもの（特許文献２参照）等がある。
【特許文献１】特開平９−１００６０号公報（図１，図２）
【特許文献１】特開平９−３１３２８７号公報（図１，図２、図３）
【発明の開示】
【発明が解決しようとする課題】
【０００３】
しかしながら、上記特許文献１のものにおいては、支基の環状部と脚カバーとの間の境界線が外部に露呈するとともに、脚カバーに他物が衝突した際等に脚カバーが外れ易い。
【０００４】
特許文献２のものにおいては、脚カバーに回転方向の力や振動等が加わった際に脚カバーが外れ易く、またそのような外れを防止するため、脚カバーの上端に突設した上向き突起を、支基の側面と係合するようにすると、脚カバーの一部が支基の側面より側方に突出することになり、体裁が悪い。
【０００５】
本発明は、従来の技術が有する上記のような問題点に鑑み、脚カバーが支基から脱落し難く、構造が簡単で、加工が容易であり、しかも体裁のよい椅子における脚カバーの取付構造を提供することを目的としている。
【課題を解決するための手段】
【０００６】
本発明によると、上記課題は、次のようにして解決される。
(１)  台脚に立設した支筒内に、垂直支持軸をその軸線回りに回動自在に支持し、垂直支持軸の上部に座部を支持する支基を設け、前記垂直支持軸および支筒の上部を覆う筒状の脚カバーを前記支基の下面板に取り付けた椅子における脚カバーの取付構造において、前記下面板に、脚カバーの上端の内径とほぼ同径をなし、かつ前記支筒が挿通しうるようにした挿通孔を設けるとともに、該挿通孔の周縁に、外周縁が前記脚カバーの上端の外径とほぼ同径をなす複数の係合溝を円周方向に間隔をおいて形成し、前記脚カバーの少なくとも上部を内方に弾性変形可能な材料により形成するとともに、前記脚カバーの上端に、該脚カバーの上端が前記下面板の下面に当接した状態で前記各係合溝に係合し、かつ上端に前記下面板における係合溝の外側上面に係合する爪部を有する複数の係合片を、前記係合溝の間隔と等間隔をもって突設する。
【０００７】
(２)  上記(１)項において、脚カバーの上部の内径を支筒の外径に近い寸法とし、係合片の内方への弾性撓曲が支筒の外周面により阻止されるようにすることにより、係合片を下面板の係合溝から外れ止めする。
【０００８】
(３)  上記(１)または(２)項において、垂直支持軸を、支筒内に固定部が支持されたガススプリングの可動部により形成し、このガススプリングの最大伸長時において、脚カバーの上部が支筒の上端より上方に位置し、この状態で、係合片が下面板の係合溝から外れるまで、脚カバーの上部および係合片が内向きに弾性撓曲しうるようにする。
【０００９】
(４)  上記(１)〜(３)項のいずれかにおいて、係合溝および係合片の円周方向の幅をほぼ同一とする。
【００１０】
(５)  上記(１)〜(４)のいずれかにおいて、爪部の先端部下面に、外上方を向く傾斜面を設ける。
【発明の効果】
【００１１】
本発明によると、次のような効果を奏することができる。
(ａ)  請求項１記載の発明によると、脚カバーの各係合片が下面板の係合溝に係合し、各係合片の爪部が下面板における係合溝の外側上面に係合し、さらに脚カバーの上端が下面板の下面に当接することにより、脚カバーはその中心軸回りの回転および上下方向の移動が確実に阻止されて支基に装着され、脚カバーが支基から脱落するのが確実に防止される。
また、下面板の挿通孔の縁に係合溝を設け、かつ脚カバーの上端に係合片を設けるだけの簡単な構造でよく、それらを容易に加工できるとともに、挿通孔、係合溝、係合片等は、脚カバーによりすべて隠されるので、体裁がよい。
【００１２】
(ｂ)  請求項２記載の発明によると、係合片の内方への弾性撓曲が支筒の外周面により阻止されるので、係合片は、下面板の係合溝からさらに外れ難くなる。
【００１３】
(ｃ)  請求項３記載の発明によると、ガススプリングを最大に伸長させた状態で、脚カバーの上部を内向きに弾性撓曲させて、係合片を下面板の係合溝から外し、脚カバーを支基から簡単に外すことができる。このとき、支筒の上端は脚カバーの上部より下方に位置しているので、脚カバーの上部の内方への弾性撓曲が支筒の外周面によって妨げられることはない。
【００１４】
(ｄ)  請求項４記載の発明によると、脚カバーの中心軸回りの回転が確実に阻止され、その方向のがたつきも防止される。
【００１５】
(ｅ)  請求項５記載の発明によると、係合片の爪部の先端に設けた傾斜面により、爪部が下面板における係合溝の外側の上面に乗り上がり易くなり、脚カバーの支基への取付作業を簡単かつ確実に行えるようになる。
【発明を実施するための最良の形態】
【００１６】
以下、本発明を、座部を高さ調節し得るようにした椅子に適用した一実施形態を、添付図面を参照しつつ説明する。
【００１７】
図１において、(１)は、４〜５本の脚杆（図１では１本のみ図示）(1a)の基端部を連結することにより、平面視で放射状をなすように一体成型した台脚で、各脚杆(1a)の先端部には、キャスター(２)が設けられている。
【００１８】
台脚(１)の中心部を上下方向に貫通する取付孔(３)には、はぼ円筒形の支筒(４)の下部が嵌合されている。取付孔(３)の内面と支筒(４)の下部外面は、ともに下方に向かって僅かに縮径する下向テーパ面となっており、支筒(４)の荷重を台脚(１)により受けることができるようにしてある。
【００１９】
支筒(４)の内部には、公知のガススプリング(５)の固定部(図示略)の大部分が収容されており、このガススプリング(５)の固定部の上端から上方に延出する可動部(5a)が、垂直支持軸となって支筒(４)の上端より上方に突出している。
【００２０】
ガススプリング(５)の可動部(5a)の上部に設けた押しボタン(5b)を押すと、可動部(5a)は、支筒(４)に対して上下方向に伸縮することができる（図１は、ガススプリング(５)の最大短縮時の状況を示している）。
可動部(5a)は、支筒(４)内に固定した固定部に対して、垂直軸まわりに自由に回転することができるようになっている。
【００２１】
ガススプリング(５)の可動部(5a)の上端部外周は、上方に向かって僅かに縮径する上向テーパ面としてある。
上部に座部（図示略）などを支持する支基(６)の下面板(6a)の後部の上方には、テーパ状の取付孔(７)を有する支持ブロック(８)が溶接により固定されている。この支持ブロック(８)のテーパ状の取付孔(７)に、ガススプリング(５)の可動部(5a)の上端部を差し込んで係合させてある。
【００２２】
図２および図３に示すように、支基(６)の下面板(6a)には、取付孔(７)と同心の挿通孔(９)が穿設されており、この挿通孔(９)を支筒(４)が遊通しうるようになっている。挿通孔(９)の周縁には、複数(この例では３個)の係合溝(10)が円周方向に等間隔をおいて形成されている。
【００２３】
下面板(6a)における挿通孔(９)の周縁の下方には、ガススプリング(５)の可動部(5a)および支筒(４)の上部を覆うほぼ筒状の脚カバー(11)が、着脱自在に取り付けられている。
この脚カバー(10)は、少なくとも上部が内方に弾性変形可能な合成樹脂材料により形成され、その上端の内径は、挿通孔(９)の内径とほぼ同一をなすとともに、支筒(４)の上部の外径に近い寸法とし、同じく外径は、係合溝(10)の外周縁の径とほぼ同径をなすように定めてある。
【００２４】
脚カバー(11)の上端には、その上端が下面板(6a)の下面に当接した状態で、各係合溝(10)に係合し、かつ上端に下面板(6a)における係合溝(10)の外側上面に係合する外向きの爪部(13)を有する複数(この例では３個)の係合片(12)が、係合溝(10)の間隔と等間隔をもって突設されている。
この係合片(12)における脚カバー(11)の上端から爪部(13)の下面までの長さは下面板(6a)の厚さと同一とし、同じく円周方向の幅は係合溝(10)の幅と同一としてある。
【００２５】
爪部(13)の先端部下面には、外上方を向く傾斜面(13a)が設けられており、これによって、爪部(13)が下面板(6a)における係合溝(10)の外側の上面に乗り上がり易くなり、脚カバー(11)の支基(６)への取付作業が簡単に行えるようになる。
【００２６】
脚カバー(11)の上下方向の長さは、ガススプリング(５)の最大伸長時(図１の想像線参照)に、脚カバー(11)の上部が支筒(４)の上端より上方に位置し、脚カバー(11)の下部で支筒(４)の上端部を覆い、ガススプリング(５)の最大短縮時には、脚カバー(11)の下端が台脚(１)の上面に当接しないように定めてある。
【００２７】
したがって、ガススプリング(５)の最大伸長時においては、脚カバー(11)の上部を、支筒(４)の外周面に妨げられることなく、内方に弾性撓曲させて、脚カバー(11)を支基(６)の下面に着脱することができるが、脚カバー(11)の上部が支筒(４)の上端部に近づくまで支基(６)が下降すると、脚カバー(11)の上部の内方への弾性撓曲が支筒(４)の外周面により妨げられ、脚カバー(11)を支基(６)の下面に着脱することができなくなる。
【００２８】
脚カバー(11)を支基(６)に取付けるには、ガススプリング(５)を最大に伸長させておき、その状態で、図４に略示するように、脚カバー(11)の上部における各係合片(12)との連接部分を内方に弾性変形させて、各係合片(12)を下面板(6a)における挿通孔(９)に下方より挿入し、次いで内方に弾性撓曲させていた脚カバー(11)の上部を元の円形の状態に戻しつつ、各係合片(12)を挿通孔(９)の縁の係合溝(10)にそれぞれ係合させるとともに、脚カバー(11)の上端を下面板(6a)における挿通孔(９)の周縁下面に当接させ、かつ各爪部(13)を下面板(6a)における係合溝(10)の外側上面に係合させる。このような作業で、脚カバー(11)を支基(６)の下面に簡単に取り付けることができる。
【００２９】
また、ガススプリング(５)を最大に伸長させておいた状態で、脚カバー(11)の上部における各係合片(12)との連接部分を内方に弾性変形させて、各係合片(12)を係合溝(10)から内方に外し、かつその状態で脚カバー(11)を引き下げて、各係合片(12)を挿通孔(９)から下方に外すことにより、脚カバー(11)を支基(６)から簡単に取り外すことができる。
【００３０】
以上、本発明の実施の形態を図面に基づいて詳述してきたが、具体的な構成はこの実施の形態に限られるものではなく、本発明の要旨を逸脱しない範囲で、幾多の設計変更等が可能である。
例えば、上記実施の形態では、座部が回転だけでなく、上下にも移動して高さを調整できるタイプの椅子について説明したが、もちろん、座部が回転しうるだけで、高さ調節ができない態様の椅子にも適用できる。
【図面の簡単な説明】
【００３１】
【図１】本発明の一実施形態を備えた椅子の要部の縦断側面図である。
【図２】同じく、支基と脚カバーとの組み立て状態を分解して示す要部拡大外観斜視図である。
【図３】同じく、支基と脚カバーとの組み立て状態の縦断側面図である。
【図４】同じく、支基への脚カバーの装着方法を説明する概略縦断説明図である。
【符号の説明】
【００３２】
(１)台脚
(２)キャスタ−
(３)取付孔
(４)支筒
(５)ガススプリング（垂直支持軸）
(5a)可動部
(5b)押しボタン
(６)支基
(6a)下面板
(７)取付孔
(８)支持ブロック
(９)挿通孔
(10)係合溝
(11)脚カバー
(12)係合片
(13)爪部
(13a)傾斜面
【図１】
2005137796.tif 000003
【図２】
2005137796.tif 000004
【図３】
2005137796.tif 000005
【図４】
2005137796.tif 000006